(57)【要約】【課題】  アームレストをブロー成型で構成したにもかかわらず、椅子本体に対して、最少限の固定手段でもってぐらつきなく取り付けることができる椅子を提供する。【解決手段】  座部２の後方に背凭れ部３を、左右両側にアームレスト７を夫々備えた椅子で、アームレスト７はブロー成形より構成し、アームレストには、その左右両側面を貫通する貫通穴２５を形成し、この貫通穴の内周面に雌ネジ部が一致するようナット２２をインサート成型し、このナットと螺合する雄ネジ２１を、椅子の側板８よりねじ込んでゆき、雄ネジ２１の先端をナット２２より突出させて、この突出した部分を前記貫通穴２５に嵌合させる。【選択図】    図６
2005198990.tif 000002
【特許請求の範囲】
【請求項１】
座部の後方に背凭れ部を、座部の左右両側にアームレストを夫々備えた椅子において、前記アームレストはブロー成形より構成し、アームレストには、その左右両側面を貫通する貫通穴を形成し、該貫通穴の内周面に被結合面を形成し、前記被結合面と結合する結合面を有するアームレスト固定手段を、前記貫通穴と嵌合させてなる椅子。
【請求項２】
前記被結合面はナットより構成し、前記固定手段は、前記ナットに螺合する雄ネジより構成してなる請求項１に記載の椅子。
【請求項３】
前記雄ネジの先端を前記ナットより突出させて、この突出した部分を前記貫通穴に嵌合させてなる請求項２に記載の椅子。
【請求項４】
前記ナットは、インサート成型により前記貫通穴の周囲に取り付けてなる請求項２又は請求項３に記載の椅子。
【請求項５】
前記雄ネジは、椅子の左右側面の内側より前記ナットに螺合した請求項２又は請求項４のいづれかに記載の椅子。
【請求項６】
前記アームレストをクッションで覆い、このクッションにより前記貫通穴を覆い隠してなる請求項１乃至請求項５のいづれかに記載の椅子。
【請求項７】
前記背凭れ部に、マッサージ装置を内蔵してなる請求項１乃至請求項６のいづれかに記載の椅子。
【発明の詳細な説明】
【技術分野】
【０００１】
本発明は、座部の後方に背凭れ部と、座部の左右両側にアームレストを備えた椅子にに関するものである。
【背景技術】
【０００２】
従来座部の左右両側に設けられるアームレストの多くは、樹脂成型品より構成され、その取付は、椅子の側面にネジ止め等の固定手段や着脱機構により取り付けられているのが一般的であった。(例えば、着脱機構により取り付けたものとして、特許文献１参照)。
【０００３】
またアームレストはその上に腰掛ける場合もあって大きな外力が加わりやすいので、強度的に丈夫にする必要があり、そのため、強度的に単なる樹脂成型品よりも丈夫なブロー成型品より構成したものもある。
【特許文献１】特公昭６０−２６５３９号公報
【発明の開示】
【発明が解決しようとする課題】
【０００４】
しかしながら、ブロー成型により構成されたアームレストは、それ自体は強度的に丈夫であるが、アームレストを椅子本体に取り付ける場合、アームレスト内が中空であるので、椅子本体に対してぐらつきやすく、しっかりと取り付けるためには、多くのネジ等の固定手段を必要としていた。
【０００５】
本発明の目的は、ブロー成型によりアームレストを構成しても、最少限の固定手段で堅固に椅子本体に取り付けることができる椅子を提供することである。
【課題を解決するための手段】
【０００６】
上記課題を解決するために本発明は、座部の後方に背凭れ部を、座部の左右両側にアームレストを夫々備えた椅子において、アームレストはブロー成形より構成し、アームレストには、その左右両側面を貫通する貫通穴を形成し、この貫通穴の内周面に被結合面を形成し、この被結合面と結合する結合面を有するアームレスト固定手段を、前記貫通穴と嵌合させたものである。
【０００７】
具体的には、前記被結合面はナットより構成し、前記固定手段は、前記ナットに螺合する雄ネジより構成しものである。
【０００８】
そして、この雄ネジの先端を前記ナットより突出させて、この突出した部分を前記貫通穴に嵌合させたものである。
【０００９】
また前記ナットは、インサート成型により前記貫通穴の周囲に取り付けたものである。
【００１０】
また前記雄ネジは、椅子の左右側面の内側より前記ナットに螺合したものである。
【００１１】
またアームレストをクッションで覆い、このクッションにより貫通穴を覆い隠したものである。
【発明の効果】
【００１２】
本発明によれば、アームレストの左右両側面を貫通する貫通穴内周面の被結合面に、アームレスト固定手段の結合面が結合し、且つこの固定手段を貫通穴と嵌合させたので、アームレストはその左右両側面から椅子本体に固定手段によって固定されたのと同等になり、アームレストはブロー成型により成型したのにもかかわらず、最少限の固定手段でもって堅固に取り付けることができ、大きな力が加わっても左右にぐらついたりすることを防止できる。
【００１３】
また本発明によれば、被結合面をナットより、また固定手段を雄ネジより構成し、雄ネジの先端をナットより突出させて、この突出した部分を貫通穴に嵌合させたので、雄ネジをねじ込むという簡単な作業で、アームレストを堅固に取り付けることができる。
【００１４】
またナットは、インサート成型により貫通穴の形成時に同時に取り付けることができ、作業工程の簡略化ができる。
【００１５】
また前記雄ネジは、椅子の左右側面の内側より前記ナットに螺合することにより、雄ネジが外側から見えず、外観上好ましい。
【００１６】
さらにアームレストをクッションで覆い、このクッションにより貫通穴を覆い隠せば、より外観上好ましくなる。
【発明を実施するための最良の形態】
【００１７】
以下、本発明の椅子を、背凭れ部にマッサージ装置を内蔵した椅子式のマッサージ機を例として説明する。ここで便宜上、椅子に座った被施療者の右手側を右方、左手側を左方、胸側を前方、背中側を後方とする。図１は椅子式マッサージ機１の右前方から見た斜視図、図２は同マッサージ機の右後方から見た斜視図、図３は同マッサージ機の側面図、図４は同マッサージ機の側面図で、後述する左側のアームレスト７及び側板８さらには枕９１を外した状態である。
【００１８】
椅子式マッサージ機１は、被施療者が腰掛ける座部２の後方に背凭れ部３、前方に被施療者のふくらはぎを載置するふくらはぎ載置部４とふくらはぎ載置部４の下端に連結される被施療者の足先を置く足先載置部５からなるフットレスト６、左右のアームレスト７、椅子の左右側面を構成しアームレスト７が取付けられる左右の側板８、これら座部２、背凭れ部３、フットレスト６、側板８等を支持する角材やパイプ材からなる後述のフレーム機構９を具えて構成される。
【００１９】
背凭れ部３は、座部２に対して起倒可能且つ任意の位置で位置決め可能に連結される。ふくらはぎ載置部４は、座部２の前方に上下に回動自在に且つ任意の位置で位置決め可能に連結される。また、足先載置部５は、ふくらはぎ載置部４に回動自在に連結される。
【００２０】
背凭れ部３内には、被施療者の肩、背中、腰等を揉んだり叩いたりする公知のマッサージ装置（図示せず）が、背凭れ部３に沿って昇降可能に配備される。また背凭れ部３の上部には前記枕９１が取り付けられている。
【００２１】
ふくらはぎ載置部４は、図１に示すように、被施療者の左右のふくらはぎを夫々挿入する一対の樋状凹部１０、１０を有している。各樋状凹部１０の内側面には、ふくらはぎを側面から押圧する側面エアバック（ふくらはぎ載置部４全体を覆う布カバーにより隠れて見えない）が配備され、この側面エアバックは、エアポンプ（図示せず）からの空気の供給を受けることにより膨張して、ふくらはぎを側方から押圧し、供給された空気を排気することにより収縮して押圧を解除し、この膨張収縮を繰り返すことによりふくらはぎをマッサージする。
【００２２】
足先載置部５も、図１に示すように、被施療者の左右の足先（踝よりも先の部分）を夫々挿入する一対の樋状凹部１１、１１を有している。各樋状凹部１１の内側面には、足先を側面から押圧する側面エアバック（足先載置部５全体を覆う布カバーにより隠れて見えない）が配備され、この側面エアバックも、エアポンプ（図示せず）からの空気の供給を受けることにより膨張して、足先を側方から押圧し、供給された空気を排気することにより収縮して押圧を解除し、この膨張収縮を繰り返すことにより足先をマッサージする。これらの側面エアバックがフットレスト６のマッサージ装置となる。
【００２３】
図５は前記フレーム機構９とアームレスト７及び側板８を示す。フレーム機構９は大まかにいって、左右一対の前後に伸びるベースフレーム１２と、各ベースフレーム１２間を連結する２本の連結フレーム１３と、各ベースフレーム１２の前後に立設された支柱フレーム１４、１５と、各前後の支柱フレーム１４，１５の上端を連結する側方連結フレーム１６と、左右の側方連結フレーム１６の前端を連結する前方連結フレーム１７とから構成される。
【００２４】
椅子の側面を構成する左右の側板８は、ブロー成形より構成され、その取付けは、まずその底面の前方に突設した突起１８をベースフレーム１２の上面に設けた角穴１９に嵌め込んで位置決めし、あとは前後の支柱フレーム１４，１５と側方連結フレーム１６の後端部に内側からネジ２０止めすることにより取付けられる。左右の側板８はブロー成形により形成されているので変形（前後方向に反る）しやすいが、変形しても突起１８と角孔１９にて位置決めしているので、あとのネジ止めする際にネジ穴とネジが容易に合致するので作業性を向上できる。
【００２５】
左右のアームレスト７もブロー成形により構成され、図の如くビーン状の形状になっている。このアームレスト７は、その下部が前後方向３箇所において、側板８の上部に内側からネジ２１止めされて取り付けられる。
【００２６】
その取付け構造として、まず図７のような構造が考えられる。即ち、アームレスト７の内側面にナット２２をインサート成形で取付け、側板８上部の内側よりネジ２１をこのナット２２にねじ込んで取付ける。アームレスト７は、図５に示すように、さらにその前方の内側面を、前方連結フレーム１７に固着した取付片２３にネジ２４止めすることで、フレーム機構９に取付けられる。
【００２７】
ところで、アームレスト７は被施療者から大きな力が加わりやすく、またアームレスト７は、ブロー成形により構成され中が中空のため、図７のような取付け方法だと、強度不足になって左右にぐらつき易くなる。この強度不足を解消するためには、アームレスト７と側板８の接合を、図７のようなアームレスト７の内側面と側板の８外側面だけの接合ではなく、アームレスト７の外側面と側板８の内側面も接合させ、即ちたがいちがいに接合させて、アームレスト７の内側からだけでなく外側からもネジで固定するようにしたり、アームレスト７の上方も側板８に固定させる等の方法が考えられるが、ネジの数が増え、作業工数の増加、コストアップにつながるものである。
【００２８】
そこで本発明は、図６に示す如く、ネジの数を増やすこことなく簡単な構成で、アームレスト７を側板８に堅固に取付けることができる取付構造を採用している。即ち、図の如く、アームレスト７には、その左右両側面を貫通する貫通穴２５が形成され、この貫通穴２５の内周面のアームレスト内側面寄りには、ナット２２の雌ネジ部が一致するようにインサート成型により取り付けられいる。そして、側板８の内側面側より、雄ネジ２１を挿入してナット２２と螺合させ、、この雄ネジ２１の先端を前記ナット２２より突出させて、この突出した部分を前記貫通穴２５に嵌合させている。
【００２９】
この貫通穴２５は、アームレスト７の前後方向に３カ所設けられて、この３箇所において、ナット２２とネジ２１によりアームレスト７を側板８に固定している。
【００３０】
このようにすることにより、アームレスト７の内側面だけでなく外側面もネジ２１により側板８に固定されたと同等になり、取付け強度を向上させ、アームレスト７の左右方向のぐらつきを防止することができる。従って固定手段であるネジの数を増やすことなく、堅固にアームレスト７を取付けることができる。
【００３１】
またアームレスト７の外側面と側板８の内側面を接合させて、側板８の外側面よりネジ２１をねじ込んでいくこともできるが、実施例のように、側板８の内側面側よりネジ２１をねじ込むようにすれば、外側からこのネジ頭が見えず、外観上好ましい。
【００３２】
図６や図７において、２６はアームレスト７全体を覆うクッションであり、このようにクッションで覆うことにより、図６の場合、貫通穴２５をクッション２６で覆い隠すことができ、外観上さらに好ましくなる。
【００３３】
なお、図５で二点鎖線は、曲面を表すためのものである。また、図１において９０は、前方連結フレーム１７と前側の連結フレーム１３との開口を塞ぐ化粧カバーで、補強のために水平方向に複数の突部が形成されている。
【００３４】
また以下の説明は、本発明の要旨とは直接関係がない椅子式マッサージ機の構成部分についてである。
【００３５】
座部２は側方連結フレーム１６と、前方連結フレーム１７上に設置される。背凭れ部３は、その左右側面の下部が、側方連結フレーム１６の後端に突設した支軸２７に回動自在に取り付けられている。図４において、２８はガススプリングよりなる伸縮装置で、その一端は、背凭れ部３の下部に支軸２９にて枢支連結されており、その他端は、前方連結フレーム１７の下面に固着したブラケット３０に枢支連結されている。
【００３６】
ガススプリング２８は周知のもので、シリンダ３１内をピストンロッド３２が出没自在になっており、常時ピストンロッド３２はシリンダ３１より突出する方向に付勢されている。ガススプリング２８は操作レバー（図示せず）を操作して、そのロックを解除することにより伸縮自在となり、この状態で、背凭れ部３をガススプリング２８の付勢力に抗して後方へ倒すことにより、ピストンロッド３２は、シリンダ３１内へ挿入し、操作レバーの操作を解除することによりロックされて、その位置（背凭れ部３が任意の角度まで倒れた位置）で固定され、操作レバーを再操作してそのロックを解除し、背凭れ部３への人体からの圧力を解除することにより、前記ガススプリング２８の付勢力により、ピストンロッド３２がシリンダ３１より突出して背凭れ部３を起こすようになったものである。
【００３７】
次にフットレスト６の回動機構を説明する。ふくらはぎ載置部４はその底部の枠状（方形状）フレーム３４で骨組みが構成され、このフレーム３４の左右両端が上下に延長され、上方に延長された部分が、前方連結フレーム１７の左右両端に固着したブラケット３５に支軸３６により回動自在に連結されている。
【００３８】
足先載置部５はその底部の枠状（方形状）フレーム３７で骨組みが構成され、このフレーム３７の左右両側の中央付近より斜め上方へ突出片３８が突設され、この突出片３８の上端とふくらはぎ載置部の枠状フレーム３４の左右両端の前記下方へ延長した部分が、支軸３９で回動自在に連結されている。
【００３９】
また枠状フレーム３７の後側の中央部には後方へ若干突出した突部４０形成され、この突部４０にリンク４１の先端が支軸４２より回動自在に連結され、このリンク４１の基端は、前方連結フレーム１７の裏側に固着したブラケット４３に支軸４４により回動自在に連結されている。
【００４０】
４６はガススプリング２８と同様の伸縮装置となるガススプリングで、その上部のシリンダ４７は、前記ブラケット４３に回動自在に枢支された回動板４８の先端に枢支され、下部のピストンロッド４９は、連結フレーム１３の中央部に固着したブラケット５０に支軸５１によって枢支されている。詳細には、図４の円内拡大図に示すように、ピストンロッド４９の先端に固定金具５２が固着され、この固定金具５２が支軸５１によりブラケット５０に枢支されている。固定金具５２には操作金具５３の一端が支軸５４により枢支されており操作金具５３の他端には、操作ワイヤ５５の下端球部が係着されている。５７は操作ワイヤ５５のアウターチューブで、その下端は、固定金具５２にナット５８により取り付けられている。
【００４１】
操作ワイヤ５５は操作レバー（図示せず）の操作により操作される。操作レバーの操作により操作ワイヤ５５を図で矢印方向に引き上げると、操作金具５３が回動してピストンロッド４９内のプッシュロッド５９を押し、ガススプリング４６のロック状態を解除する。ロックが解除されると、ガススプリング４６の付勢力によりピストンロッド４９が突出し、その結果、回動板４８を介してリンク４１を押し、フットレスト６を持ち上げていく。ピストンロッド４９は、操作レバーの操作を解除することによりロックされて、その位置（フットレスト６が任意の角度まで持ち上げられた位置）で固定される。フットレスト６は、ふくらはぎ載置部４と足先載置部５とがほぼ座部２の高さと一致する位置まで持ち上げられる。足先載置部５は、回動してもほぼ水平状態を保つ。。
【００４２】
この持ち上げられた状態から、元へ戻すには、操作レバーを再操作してそのロックを解除し、ガススプリング４６の付勢力に抗して被施療者がフットレスト６下向きに回動させればよい。
【００４３】
上記実施例の説明は、本発明を説明するためのものであって、特許請求の範囲に記載の発明を限定し、あるいは範囲を縮減するよう解釈すべきではない。また本発明の各部構成は上記実施例に限らず、特許請求の範囲に記載の技術的範囲内で種々の変形が可能である。
【産業上の利用可能性】
【００４４】
本発明の椅子の活用例として、実施例のようにマッサージ装置を内蔵した椅子式マッサージ機に用いることもできるが、その他の安楽椅子等全ての椅子に活用することができる。
【図面の簡単な説明】
【００４５】
【図１】本発明の椅子を用いた椅子式マッサージ機の右前方から見た斜視図である。
【図２】同マッサージ機の右後方から見た斜視図である。
【図３】同マッサージ機の側面図である。
【図４】同マッサージ機の左側のアームレスト及び側板を外した状態の側面図と、その円内拡大図である。
【図５】同マッサージ機のフレーム機構、側板及びアームレストの分解斜視図である。
【図６】同マッサージ機のアームレストと側板の取り付け部分の縦断面図と、その円内拡大図である。
【図７】マッサージ機のアームレストと側板の一般的な取り付け構造を示す縦断面図と、その円内拡大図である。
【符号の説明】
【００４６】
２      座部
３    背凭れ部
７      アームレスト
２５    貫通穴
２２    ナット（被接合面）
２１    雄ネジ（固定手段）
２６    クッション
【図１】
2005198990.tif 000003
【図２】
2005198990.tif 000004
【図３】
2005198990.tif 000005
【図４】
2005198990.tif 000006
【図５】
2005198990.tif 000007
【図６】
2005198990.tif 000008
【図７】
2005198990.tif 000009